(57)【要約】【課題】コアの略全域を排泄物の吸収に利用することができ、排泄物の開口からの漏れを防ぐことができる排泄物処理パッドを提供する。【解決手段】排泄物処理パッド２０Ａでは、第１スペース３２の上方に位置して縦方向へ延びる第２スペース３４が第１シート２１の横方向中央部３３とコア２３との間に形成され、第１および第２シート２１，２２よりも高い剛性を有する台紙３６が開口３１を囲繞するシート２１の開口周縁部３５に固着され、横方向へ弾性伸縮性を有するスペーサ５１がスペース２１に配置されて台紙３６の両側壁４４に収縮可能に取り付けられている。パッド２０Ａは、排泄物がスペース３４を通って中間域２５から前後域２４，２６に移行し、台紙３６の両側壁４４がスペーサ５１によって横方向内方へ引き寄せられ、さらに、開口周縁部３５が台紙３６によってコア２３の上方へ凸となる立体的な形態に変形している。【選択図】図１
2006051211.tif 000002
【特許請求の範囲】
【請求項１】
縦方向に前域および後域と、前記前後域の間に位置する中間域とを有し、肌当接側に位置する第１シートと、肌非当接側に位置する第２シートと、前記第１および第２シートの間に形成された第１スペースに位置して前記前後域間に延びる吸液性コアとから構成され、前記第１シートを貫通する開口が前記前域と前記中間域とのうちの少なくとも該中間域の横方向中央に形成され、前記開口を通過した排泄物が前記第１スペースに収容されるとともに前記コアに吸収保持される排泄物処理パッドにおいて、
前記第１シートの横方向中央部が、前記パッドの横寸法を二分する縦中心線に沿って前記コアの上方へ凸となり、前記第１スペースの上方に位置して縦方向へ延びる第２スペースが、前記第１シートの横方向中央部と前記コアとの間に形成されていることを特徴とする前記処理パッド。
【請求項２】
前記第１および第２シートよりも高い剛性を有する台紙が、前記開口を囲繞する前記第１シートの開口周縁部に固着され、前記台紙が、前記開口周縁部の縦方向前方に位置して前記開口から前記第２シートに向かって互いの離間寸法が次第に広がる一対の第１折曲線で折曲されるとともに、前記開口周縁部の縦方向後方に位置して前記開口から前記第２シートに向かって互いの離間寸法が次第に広がる一対の第２折曲線で折曲され、前記第１折曲線間に延びる前壁と、前記第２折曲線間に延びる後壁と、前記前後壁に連なって前記第１および第２折曲線間に延びる両側壁とに区画され、
前記台紙の互いに対向する前後壁が、前記開口から前記第２シートに向かって末広がりに傾斜し、前記台紙の互いに対向する両側壁が、前記開口から前記第２シートに向かって末広がりに傾斜し、前記第１シートの開口周縁部が、前記台紙の前後壁と両側壁とに適従して前記コアの上方へ凸となる立体的な形態に変形している請求項１記載のパッド。
【請求項３】
前記台紙の前壁が、前記第１折曲線間に位置して前記開口から前記第２シートに向かって該第１折曲線から次第に離間する一対の第３折曲線で折曲され、前記第３折曲線間に延びていて前記開口周縁部の縦方向後方へ向かって凹む中央部と、前記第１および第３折曲線間に延びていて前記両側壁に対向する両側部とに区画され、
前記台紙の後壁が、前記第２折曲線間に位置して前記開口から前記第２シートに向かって該第２折曲線から次第に離間する一対の第４折曲線で折曲され、前記第４折曲線間に延びていて前記開口周縁部の縦方向前方へ向かって凹む中央部と、前記第２および第４折曲線間に延びていて前記両側壁に対向する両側部とに区画されている請求項２記載のパッド。
【請求項４】
前記後壁の中央部には、前記第２シートの側に延びる前記台紙の外周縁から前記開口の側に延びる該台紙の内周縁に向かって該台紙を切り欠いた凹欠部分が形成され、前記第２スペースが、前記後壁の凹欠部分に延びている請求項３記載のパッド。
【請求項５】
横方向へ弾性伸縮性を有するスペーサが、前記第１スペースに配置されて前記両側壁に収縮可能に取り付けられ、前記両側壁どうしが、前記スペーサの収縮力によって前記パッドの横方向内方へ引き寄せられている請求項２ないし請求項４いずれかに記載のパッド。
【請求項６】
前記台紙の両側壁が、該台紙の後壁から前壁に向かって先細りに形成され、前記後壁の面積が、前記前壁のそれよりも大きい請求項２ないし請求項５いずれかに記載のパッド。
【請求項７】
前記パッドが、互いに対向する前後胴周り域およびそれら胴周り域の間に位置する股下域を有するとともに胴周り開口および一対の脚周り開口を有するパンツの内側に着脱可能に取り付けられ、前記パンツが、その内側に配置されて前記前後胴周り域間に延びる帯状のパッド固定シートを備え、前記固定シートが、前記前後胴周り域の胴周り周縁部に固着された固定両端部と、前記固定両端部間に延びる自由中間部とを有し、前記パッドの後域を挿入可能な挿入口が、前記自由中間部の横方向中央に形成され、
前記パッドが、前記開口につながる開口部を有して前記第１シートの外面に位置する連結シートを備え、前記連結シートが、前記第１シートの開口周縁部に固着された固定内周縁部と、前記パッドの前域から縦方向前方へ延出して前記固定シートに止着手段を介して着脱可能な自由前部とを有し、
前記パッドでは、その前域と中間域とを前記固定シートの外面に位置させるとともに、その後域を前記固定シートの挿入口に挿入して前記パンツと該固定シートとの間に介在させ、前記連結シートの自由前部を前記止着手段を介して前記固定シートの外面に止着することで該パッドが前記パンツに取り付けられる請求項１ないし請求項６いずれかに記載のパッド。
【請求項８】
前記連結シートが、前記パッドの後域に位置して前記パッド固定シートに止着手段を介して着脱可能な自由後部を有し、前記パッドでは、前記連結シートの自由前部と自由後部とを前記止着手段を介して前記固定シートの外面に止着することで該パッドが前記パンツに取り付けられる請求項７記載のパッド。
【請求項９】
前記自由後部には、前記連結シートの外周縁から前記固定内周縁部に向かって該連結シートを切り欠いた凹欠部分が形成され、前記第２スペースが、前記連結シートの凹欠部分に延びている請求項８記載のパッド。
【請求項１０】
前記止着手段が、前記連結シートの内面に取り付けられたフック部材、または、前記連結シートの内面に塗布された感圧型接着剤である請求項７ないし請求項９いずれかに記載のパッド。
【請求項１１】
前記パッドの後域の面積が、前記パッドの前域と中間域とのそれよりも大きく、前記後域が、前記パッドの縦方向後方に向かって横方向へ末広がりの袋状を有する請求項１ないし請求項１０いずれかに記載のパッド。
【発明の詳細な説明】
【技術分野】
【０００１】
本発明は、排泄物を吸収保持する排泄物処理パッドに関する。
【背景技術】
【０００２】
縦方向に前域および後域と、前後域の間に位置する中間域とを有し、透液性表面シートおよび不透液性裏面シートと、それらシートの間に介在する吸液性コアとから吸収部が形成され、吸収部の周縁から上方へ延びる表裏面シートが吸収部を覆うカバーシート部分を形成し、カバーシート部分に囲繞された縦長の開口が吸収部の中央に形成された排泄物処理パッドがある（特許文献１参照）。カバーシート部分には、環状に延びる伸縮性弾性部材が収縮可能に取り付けられている。パッドは、おむつカバーの股下域の内側に着脱可能に取り付けられ、おむつカバーを介して着用者に装着される。
【０００３】
このパッドは、前域が縦方向前方に向かって先細りに形成され、後域が縦方向後方に向かって先細りに形成されており、吸収部の横寸法が中間域で最も広くなっている。パッドは、排泄物を吸収部に収容することができるので、おむつカバーが排泄物で汚れることがなく、さらに、先細りの前後域が着用者の股間部に納まるので、装着中におけるパッドの嵩張りを防ぐことができる。
【特許文献１】特開平１２−４２０３３号公報
【発明の開示】
【発明が解決しようとする課題】
【０００４】
特許文献１に開示のパッドでは、開口を囲繞するカバーシート部分が低剛性の表裏面シートから形成されているので、パッドの厚み方向へかかるわずかな圧でカバーシート部分が容易に潰れてしまう。カバーシート部分が潰れると、開口を通過した排泄物の縦方向への移行がカバーシート部分によって阻止されるので、排泄物が吸収部全体に移行せず、排泄物をコア全域に効率よく吸収させることができない。さらに、カバーシート部分が潰れると、カバーシート部分が排泄物に対する障壁としての機能を失い、吸収部に収容された排泄物がカバーシート部分を乗り越えて開口からパッドの外側へ漏れてしまう場合がある。
【０００５】
また、このパッドは、それがおむつカバーの股下域に取り付けられるので、おむつカバーが着用位置からずれ下がると、それにともなってパッドがずれ下がり、着用者の肌に対するパッドの当接状態を維持することができず、排泄物が開口の外側へ排泄されてしまう場合がある。
【０００６】
本発明の目的は、排泄物を縦方向へ確実に移行させることができ、コアの略全域を排泄物の吸収に利用することができる排泄物処理パッドを提供することにある。本発明の他の目的は、開口を囲繞する開口周縁部を排泄物に対する障壁として機能させることができ、排泄物の開口からの漏れを防ぐことができる排泄物処理パッドを提供することにある。本発明の他の目的は、着用者の肌に対する当接状態を維持することができ、排泄物が開口の外側へ排泄されてしまうことがない排泄物処理パッドを提供することにある。
【課題を解決するための手段】
【０００７】
前記課題を解決するための本発明の前提は、縦方向に前域および後域と、前後域の間に位置する中間域とを有し、肌当接側に位置する第１シートと、肌非当接側に位置する第２シートと、第１および第２シートの間に形成された第１スペースに位置して前後域間に延びる吸液性コアとから構成され、第１シートを貫通する開口が前域と中間域とのうちの少なくとも該中間域の横方向中央に形成され、開口を通過した排泄物が第１スペースに収容されるとともにコアに吸収保持される排泄物処理パッドである。
【０００８】
前記前提における本発明の特徴は、第１シートの横方向中央部がパッドの横寸法を二分する縦中心線に沿ってコアの上方へ凸となり、第１スペースの上方に位置して縦方向へ延びる第２スペースが第１シートの横方向中央部とコアとの間に形成されていることにある。
【０００９】
本発明は、以下の実施態様を有する。
（１）第１および第２シートよりも高い剛性を有する台紙が開口を囲繞する第１シートの開口周縁部に固着され、台紙が、開口周縁部の縦方向前方に位置して開口から第２シートに向かって互いの離間寸法が次第に広がる一対の第１折曲線で折曲されるとともに、開口周縁部の縦方向後方に位置して開口から第２シートに向かって互いの離間寸法が次第に広がる一対の第２折曲線で折曲され、台紙が、第１折曲線間に延びる前壁と、第２折曲線間に延びる後壁と、前後壁に連なって第１および第２折曲線間に延びる両側壁とに区画され、台紙の互いに対向する前後壁が開口から第２シートに向かって末広がりに傾斜し、台紙の互いに対向する両側壁が開口から第２シートに向かって末広がりに傾斜し、第１シートの開口周縁部が台紙の前後壁と両側壁とに適従してコアの上方へ凸となる立体的な形態に変形している。
（２）台紙の前壁が、第１折曲線間に位置して開口から第２シートに向かって該第１折曲線から次第に離間する一対の第３折曲線で折曲され、第３折曲線間に延びていて開口周縁部の縦方向後方へ向かって凹む中央部と、第１および第３折曲線間に延びていて両側壁に対向する両側部とに区画され、台紙の後壁が、第２折曲線間に位置して開口から第２シートに向かって該第２折曲線から次第に離間する一対の第４折曲線で折曲され、第４折曲線間に延びていて開口周縁部の縦方向前方へ向かって凹む中央部と、第２および第４折曲線間に延びていて両側壁に対向する両側部とに区画されている。
（３）後壁の中央部には、第２シートの側に延びる台紙の外周縁から開口の側に延びる台紙の内周縁に向かって台紙を切り欠いた凹欠部分が形成され、第２スペースが後壁の凹欠部分に延びている。
（４）横方向へ弾性伸縮性を有するスペーサが第１スペースに配置されて両側壁に収縮可能に取り付けられ、両側壁どうしがスペーサの収縮力によってパッドの横方向内方へ引き寄せられている。
（５）台紙の両側壁が後壁から前壁に向かって先細りに形成され、後壁の面積が前壁のそれよりも大きい。
（６）パッドが、互いに対向する前後胴周り域およびそれら胴周り域の間に位置する股下域を有するとともに胴周り開口および一対の脚周り開口を有するパンツの内側に着脱可能に取り付けられ、パンツがその内側に配置されて前後胴周り域間に延びる帯状のパッド固定シートを備え、固定シートが、前後胴周り域の胴周り周縁部に固着された固定両端部と、固定両端部間に延びる自由中間部とを有し、パッドの後域を挿入可能な挿入口が自由中間部の横方向中央に形成され、パッドが、開口につながる開口部を有して第１シートの外面に位置する連結シートを備え、連結シートが、第１シートの開口周縁部に固着された固定内周縁部と、パッドの前域から縦方向前方へ延出して固定シートに止着手段を介して着脱可能な自由前部とを有する。このパッドでは、その前域と中間域とを固定シートの外面に位置させるとともに、その後域を固定シートの挿入口に挿入してパンツと固定シートとの間に介在させ、連結シートの自由前部を止着手段を介して固定シートの外面に止着することでパッドがパンツに取り付けられる。
（７）連結シートがパッドの後域に位置してパッド固定シートに止着手段を介して着脱可能な自由後部を有する。このパッドでは、連結シートの自由前部と自由後部とを止着手段を介して固定シートの外面に止着することでパッドがパンツに取り付けられる。
（８）自由後部には、連結シートの外周縁から固定内周縁部に向かって該連結シートを切り欠いた凹欠部分が形成され、第２スペースが連結シートの凹欠部分に延びている。
（９）止着手段が、連結シートの内面に取り付けられたフック部材、または、連結シートの内面に塗布された感圧型接着剤である。
（１０）パッドの後域の面積が前域と中間域とのそれよりも大きく、後域がパッドの縦方向後方に向かって横方向へ末広がりの袋状を有する。
【発明の効果】
【００１０】
本発明に係る排泄物処理パッドによれば、第１スペースの上方に位置して縦方向へ延びる第２スペースが第１シートの横方向中央部とコアとの間に形成されているので、第１シートとコアとが当接して第１スペースが塞がったとしても、排泄物が第２スペースを通って中間域から前後域に移行し、排泄物をコア全域に効率よく吸収保持させることができる。
【００１１】
第１シートの開口周縁部に台紙が固着され、台紙が第１および第２折曲線を介して折曲されたパッドは、開口周縁部が台紙の前後壁と両側壁とに適従してコアの上方へ凸となる立体的な形態に変形し、開口周縁部が排泄物に対する障壁を形成するので、第１スペースに収容された排泄物が開口周縁部を乗り越えることはなく、排泄物の開口からの漏れを防ぐことができる。このパッドは、台紙が第１および第２シートよりも高い剛性を有するので、パッドの厚み方向へ多少の圧がかかったとしても、コアの上方へ凸となる開口周縁部の立体的な形態が台紙によって維持され、開口周縁部が潰れることはなく、開口周縁部が排泄物に対する障壁としての機能を失うことがない。
【００１２】
台紙の前壁が第１および第３折曲線で折曲され、台紙の後壁が第２および第４折曲線で折曲されたパッドでは、第１および第３折曲線の間に延びる前壁の両側部分が両側壁とともにパッドの厚み方向へかかる圧に対する支えとなり、第２および第４折曲線の間に延びる後壁の両側部分が両側壁とともにパッドの厚み方向へかかる圧に対する支えとなるので、パッドの厚み方向にかかる圧に対する台紙の座屈強度が向上し、台紙が潰れ難く、コアの上方へ凸となる開口周縁部の立体的な形態が台紙によって確実に維持される。
【００１３】
台紙の後壁の中央部に台紙を切り欠いた凹欠部分が形成され、第２スペースが後壁の凹欠部分に延びているパッドは、後壁の凹欠部分においてコアの上方へ凸となる第１シートの形態を維持することができ、台紙の後壁が第２スペースを塞ぐことがないので、排泄物が第２スペースを通ってパッドの後域に確実に移行する。
【００１４】
横方向へ弾性伸縮性を有するスペーサが両側壁に収縮可能に取り付けられたパッドは、スペーサによって台紙の両側壁どうしがパッドの横方向内方へ引き寄せられるので、台紙の立体的な形態がスペーサによって確実に維持され、コアの上方へ凸となる開口周縁部の立体的な形態が台紙とスペーサとによって確実に維持される。このパッドは、その厚み方向へ大きな圧がかかり、開口周縁部が潰れて台紙が扁平になったとしても、圧が解除されるとスペーサの収縮力によって台紙が直ちに立体的な形態に復元し、それによって開口周縁部がコアの上方へ凸となる立体的な形態に復元する。
【００１５】
台紙の両側壁が台紙の後壁から前壁に向かって先細りに形成され、台紙の後壁の面積が台紙の前壁のそれよりも大きいパッドでは、パッドを装着したときに台紙の前壁と両側壁とが着用者の股間部に納まるので、着用者の股間部における開口周縁部の嵩張りを防ぐことができる。
【００１６】
第１シートの外面に連結シートが配置され、連結シートの自由前部をパンツの内側に配置されたパッド固定シートの外面に止着することでパンツに取り付けられるパッドは、パッドをパンツに取り付けたときに、パッドの前域と中間域とが固定シートの外面に位置して固定シートに固定されるので、パッドがパンツ自体に取り付けられる場合と比較し、パンツの動きが直接パッドに伝わることがなく、パンツが着用者の動作で動いたとしても、パッドがそれに追従して動くことはない。パッドは、パンツが着用位置からずれ下がったとしても、それによってパッドがずれ下がることはなく、着用者の肌に対するパッドの当接状態を維持することができる。このパッドは、その後域がパンツとパッド固定シートとの間に位置するので、パッドに着用者の体圧がかかったとしても、パッドの後域が潰れ難く、パッドの後域に収容された排泄物が開口から漏れ出してしまうことがない。また、排泄物を収容したパッドをパンツから取り外して廃棄することができ、パッドのみを交換することができるので、パンツを繰り返し使用することができる。
【００１７】
連結シートがパッド固定シートに着脱可能な自由後部を有するパッドは、パッドをパンツに取り付けるときに、連結シートの自由前部とともに自由後部が固定シートの外面に止着されるので、連結シートの自由前部のみが固定シートに止着される場合と比較し、パッドを固定シートに確実に固定することができ、パンツの内側におけるパッドのずれ動きを防ぐことができる。
【００１８】
連結シートの自由後部に連結シートを切り欠いた凹欠部分が形成され、第２スペースが連結シートの凹欠部分に延びているパッドは、連結シートの凹欠部分においてコアの上方へ凸となる第１シートの形態を維持することができ、第２スペースが連結シートの自由後部によって潰されてしまうことがないので、排泄物が第２スペースを通ってパッドの後域に確実に移行する。
【００１９】
パッドの後域の面積が前域と中間域とのそれよりも大きく、後域がパッドの後方に向かって横方向へ末広がりの袋状を有するパッドでは、後域における排泄物の収容容積が大きく、パッドの使用中に多量の排泄物が排泄されたとしても、排泄物の全てを後壁の第１スペースに収容することができる。
【発明を実施するための最良の形態】
【００２０】
添付の図面を参照し、本発明に係る排泄物処理パッドの詳細を説明すると、以下のとおりである。
【００２１】
図１，２は、前域２４の側から示す排泄物処理パッド２０Ａの部分破断斜視図と、後域２６の側から示す図１のパッド２０Ａの斜視図とであり、図３は、パッド２０Ａから台紙３６を分離した状態で示す分解斜視図である。図４，５は、図１の４−４線端面図と、図１の５−５線端面図とであり、図６は、図２の６−６線矢視断面図である。図１，２では、横方向を矢印Ｌ、縦方向を矢印Ｍで示し、厚み方向を矢印Ｎで示す。なお、第１および第２シート２１，２２や台紙３６の内面とは、コア２３に対向する面をいい、それらの外面とは、コア２３に非対向の面をいう。
【００２２】
パッド２０Ａは、肌当接側に位置する不透液性第１シート２１（第１シート）と、肌非当接側に位置する不透液性第２シート２２（第２シート）と、それらシート２１，２２の間に介在する吸液性コア２３とから構成されている。パッド２０Ａは、最大縦寸法が最大横寸法よりも大きい縦長であり、縦方向に前域２４および後域２６と、前後域２４，２６の間に位置する中間域２５とを有する。パッド２０Ａでは、後域２６の面積が前域２４と中間域２５とのそれよりも大きく、後域２６がパッド２０Ａの縦方向後方に向かって横方向へ末広がりの袋状を有する。
【００２３】
第１および第２シート２１，２２には、疎水性繊維不織布２７と通気不透液性プラスチックフィルム２８とをラミネートした複合シートが使用されている。第１および第２シート２１，２２は、パッド２０Ａの厚み方向へ互いに対向し、それらシート２１，２２の周縁部２９が互いに重なり合った状態で固着されている。前域２４と後域２６とにおける第２シート２２の外面には、剥離紙５８に被覆保護された粘着剤３０が塗布されている。コア２３は、前後域２４，２６間に延び、第２シート２２の内面に接合されている。コア２３は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア２３は、それの型崩れを防止するため、全体がティッシュペーパー５７に包被されている。
【００２４】
第１シート２１には、それを厚み方向へ貫通する縦長の開口３１が形成されている。開口３１は、前域２４の後半分と中間域２５との横方向中央に形成されている。第１および第２シート２１，２２の間には、開口３１を通過した排泄物を収容可能な第１スペース３２が形成されている。後域２６に形成された第１スペース３２の排泄物収容容積は、前域２４と中間域２５とに形成された第１スペース３２のそれよりも大きい。第１シート２１の横方向中央部３３は、パッド２０Ａの横寸法を二分する縦中心線Ｍ１に沿ってコア２３の上方へ凸となっている。横方向中央部３３は、その横方向両側がパッド２０Ａの横方向内方へ向かって折り込まれ、コア２３の上方に向かって横方向へ実質的に弧を画いている。第１シート２１の横方向中央部３３とコア２３との間には、第１スペース３２の上方に位置する第２スペース３４が形成されている。第２スペース３４は、開口３１を除く前域２４の前半分と後域２６とに形成され、縦方向へ直状に延びている。第２スペース３４の前後端では、第１シート２１が折り畳まれた状態で第２シート２２に固着されている。
【００２５】
開口３１を囲繞する第１シート２１の開口周縁部３５には、シート２１，２２よりも高い剛性を有する台紙３６が固着されている。台紙３６は、開口３１を囲繞する環状を有し、開口３１の側に位置する内周縁３７と、内周縁３７の反対側に位置する外周縁３８とを有する。台紙３６は、その外面が第１シート２１の内面に固着されている。台紙３６は、一対の第１折曲線３９と一対の第２折曲線４０とを介して折曲され、一対の第３折曲線４１と一対の第４折曲線４２とを介して折曲されている。
【００２６】
第１折曲線３９は、開口周縁部３５の縦方向前方に位置し、台紙３６の内外周縁３７，３８間に延びている。第１折曲線３９は、横方向へ離間対向し、互いの離間寸法が台紙３６の内周縁３７から外周縁３８に向かって（開口３１から第２シート２２に向かって）次第に広がっている。第２折曲線４０は、開口周縁部３５の縦方向後方に位置し、台紙３６の内外周縁３７，３８間に延びている。第２折曲線４０は、横方向へ離間対向し、互いの離間寸法が台紙３６の内周縁３７から外周縁３８に向かって（開口３１から第２シート２２に向かって）次第に広がっている。台紙３６は、第１折曲線３９と第２折曲線４０とにおいて開口周縁部３５の周方向外方へ凸となるように（山折り）折り曲げられている。
【００２７】
第３折曲線４１は、第１折曲線３９の間に位置し、台紙３６の内周縁３７において第１折曲線３９から分岐して台紙３６の外周縁３８に達している。第３折曲線４１は、横方向へ離間対向し、台紙３６の内周縁３７から外周縁３８に向かって（開口３１から下面シート２２に向かって）第１折曲線３９から次第に離間している。第４折曲線４２は、第２折曲線４０の間に位置し、台紙３６の内周縁３７において第２折曲線４０から分岐して台紙３６の外周縁３８に達している。第４折曲線４２は、横方向へ離間対向し、台紙３６の内周縁３７から外周縁３８に向かって（開口３１から第２シート２２に向かって）第２折曲線４０から次第に離間している。台紙３６は、第３折曲線４１と第４折曲線４２とにおいて開口周縁部３５の周方向内方へ凸となるように（谷折り）折り曲げられている。
【００２８】
台紙３６は、開口周縁部３５の縦方向前方に位置して第１折曲線３９の間に延びる前壁４３と、開口周縁部３５の縦方向後方に位置して第２折曲線４０の間に延びる後壁４５と、前後壁４３，４５に連なって第１および第２折曲線３９，４０の間に延びる両側壁４４とに区画されている。台紙３６では、両側壁４４が後壁４５から前壁４３に向かって先細りに形成され、後壁４５の面積が前壁４３のそれよりも大きい。前壁４３は、第３折曲線４１の間に延びていて開口周縁部３５の縦方向後方へ向かって凹む中央部４６と、第１および第３折曲線３９，４１の間に延びていて両側壁４４と対向する三角形状の両側部４７とに区画されている。後壁４５は、第４折曲線４２の間に延びていて開口周縁部３５の縦方向前方へ向かって凹む中央部４８と、第２および第４折曲線４０，４２の間に延びていて両側壁４４と対向する三角形状の両側部４９とに区画されている。後壁４５の中央部４８には、台紙３６の外周縁３８から内周縁３７に向かって台紙３６を切り欠いた凹欠部分５０が形成されている。凹欠部分５０には、第２スペース３４が延びている。
【００２９】
両側壁４４には、横方向へ弾性伸縮性を有する透液性のスペーサ５１が収縮可能に取り付けられている。スペーサ５１は、第１スペース３２に配置され、その横方向両側が台紙３６の外周縁３８に固着されている。スペーサ５１は、２枚の親水性繊維不織布５２と、それら不織布５２の間に介在する複数条の伸縮性弾性部材５３とから形成されている。弾性部材５３は、縦方向に所定寸法離間して横方向へ延びており、横方向へ所定の倍率に伸長させた状態で不織布５２に固着されている。台紙３６の両側壁４４は、スペーサ５１の収縮力によってパッド２０Ａの横方向内方へ引き寄せられている。台紙３６は、互いに対向する前後壁４３，４５が開口３１から第２シート２２に向かって末広がりに傾斜し、互いに対向する両側壁４４が開口３１から第２シート２２に向かって末広がりに傾斜している。台紙３６は、開口３１を頂としてコア２３の上方へ凸となる立体的な形態を有する。
【００３０】
開口周縁部３５は、台紙３６の前壁４３に延びる前部分５４と、両側壁４４に延びる両側部分５５と、後壁４５に延びる後部分５６とに区画されている。開口周縁部３５では、両側部分５５が後部分５６から前部分５４に向かって先細りに形成され、後部分５６の面積が前部分５４のそれよりも大きい。開口周縁部３５は、台紙３６の前後壁４３，４５の傾斜にともなって互いに対向する前後部分５４，５６が開口３１から第２シート２２に向かって末広がりに傾斜し、台紙３６の両側壁４４の傾斜にともなって互いに対向する両側部分５５が開口３１から第２シート２２に向かって末広がりに傾斜している。開口周縁部３５は、台紙３６の前後壁４３，４５と両側壁４４との立体的な形状に適従してコア２３の上方へ凸となる立体的な形態に変形している。
【００３１】
図７は、装着状態で示す図１のパッド２０Ａの斜視図であり、パッド２０Ａがおむつカバー５９の内側に取り付けられている。図７では、横方向を矢印Ｌ、縦方向を矢印Ｍで示し、厚み方向を矢印Ｎで示す。カバー５９は、横方向へ延びる両端部６０と、縦方向へ延びる両側部６１とを有し、縦方向に前胴周り域６２および後胴周り域６４と、それら胴周り域６２，６４の間に位置する股下域６３とを有する。股下域６３では、両側部６１がカバー５９の横方向内方へ向かって湾曲している。カバー５９は、その平面形状が砂時計型を有する。
【００３２】
カバー５９は、肌当接側に位置する疎水性繊維不織布６５と肌非当接側に位置する通気不透液性プラスチックフィルム６６とをラミネートした複合シートから形成されている。両端部６０には、横方向へ延びる帯状の胴周り用弾性部材６７が収縮可能に取り付けられている。両側部６１には、縦方向へ延びる複数条の脚周り用弾性部材６８が収縮可能に取り付けられている。それら弾性部材６７，６８は、不織布６５とフィルム６６との間に介在し、所定の倍率に伸長させた状態で不織布６５とフィルム６６とに固着されている。後胴周り域６４の両側部６１には、横方向へ延びる一対のテープファスナ６９が取り付けられている。テープファスナ６９の自由部には、剥離紙に被覆保護された粘着剤が塗布されている（図示せず）。前胴周り域６２におけるフィルム６６の外面には、テープファスナ６９の自由部を着脱可能に止着する矩形のターゲットテープ７０が固着されている。
【００３３】
パッド２０Ａを装着する手順は、以下のとおりである。剥離紙５８を剥がして粘着剤３０を露出させ、粘着剤３０を介して第２シート２２の外面をカバー５９の内側（不織布６５）に止着し、パッド２０Ａをカバー５９に取り付ける。パッド２０Ａをカバー５９に取り付けると、パッド２０Ａの前域４３がカバー５９の前胴周り域６２と股下域６３とに位置し、中間域４４が股下域６３に位置するとともに、後域４５が股下域６３と後胴周り域６４とに位置する。第１シート２１に形成された開口３１は、カバー５９の股下域６３に位置する。パッド２０Ａをカバー５９に取り付けた後、着用者の股間部にカバー５９の股下域６３を位置させ、後胴周り域６４の両側部６１を着用者の腹部の側に移動させて後胴周り域６４の両側部６１を前胴周り域６２の両側部６１の外側に重ね合わせる。次に、粘着剤を介してテープファスナ６９の自由部をターゲットテープ７０の外面に止着し、前胴周り域６２と後胴周り域６４とを連結する。前後胴周り域６２，６４が連結されたカバー５９には、胴周り開口と一対の脚周り開口とが形成される（図示せず）。パッド２０Ａの装着中に排泄された排泄物は、開口３１を通過して第１スペース３２に収容されるとともに、コア２３に吸収保持される。
【００３４】
パッド２０Ａは、第１シート２１の横方向中央部３３が縦中心線Ｍ１に沿ってコア２３の上方へ凸となり、第１シート２１の横方向中央部３３とコア２３との間に第１スペース３２の上方に位置して縦方向へ延びる第２スペース３４が形成されているので、第１シート２１とコア２３とが当接して第１スペース３２が塞がったとしても、排泄物が第２スペース３４を通ってパッド２０Ａの中間域２５から前後域２４，２６に移行し、排泄物をコア２３全域に効率よく吸収保持させることができる。パッド２０Ａは、第２シート２２の上方へ凸となる開口周縁部３５が排泄物に対する障壁を形成するので、排泄物が開口周縁部３５を乗り越えることはなく、第１スペース３２に収容された排泄物が開口３１からパッド２０Ａの外側へ漏れてしまうことはない。パッド２０Ａは、台紙３６が第１および第２シート２１，２２よりも高い剛性を有するので、パッド２０Ａの厚み方向へ圧がかかったとしても、台紙３６の剛性によって開口周縁部３５の立体的な形態が保持され、開口周縁部３５が容易に潰れることはなく、開口周縁部３５が排泄物に対する障壁としての機能を失うことはない。
【００３５】
パッド２０Ａでは、第１および第３折曲線３９，４１の間に延びる前壁４３の両側部分４７が両側壁４４とともにパッド２０Ａの厚み方向へかかる圧に対する支えとなり、第２および第４折曲線４０，４２の間に延びる後壁４５の両側部分４９が両側壁４４とともにパッド２０Ａの厚み方向へかかる圧に対する支えとなるので、パッド２０Ａの厚み方向にかかる圧に対する台紙３６の座屈強度が向上し、台紙３６が潰れ難く、開口周縁部３５の立体的な形態が台紙３６によって確実に維持される。また、スペーサ５１の収縮力によって台紙３６の両側壁４４どうしがパッド２０Ａの横方向内方へ引き寄せられているので、台紙３６の立体的な形態がスペーサ５１によって確実に維持され、コア２３の上方へ凸となる開口周縁部３５の立体的な形態が台紙３６とスペーサ５１とによって確実に維持される。パッド２０Ａは、その厚み方向へ大きな圧がかかり、開口周縁部３５が潰れて台紙３６が扁平になったとしても、圧が解除されるとスペーサ５１の収縮力によって台紙３６が直ちに立体的な形態に復元し、それによって開口周縁部３５がコア２３の上方へ凸となる立体的な形態に復元する。
【００３６】
パッド２０Ａは、台紙３６の後壁４５の中央部４８に凹欠部分５０が形成され、第２スペース３４が後壁４５の凹欠部分５０に延びているので、凹欠部分５０においてコア２３の上方へ凸となる第１シート２１の形態を維持することができ、台紙３６の後壁４５が第２スペース３４を塞ぐことがなく、排泄物が第２スペース３４を通ってパッド２０Ａの後域４５に確実に移行する。パッド２０Ａは、後域４５がパッド２０Ａの縦方向後方に向かって横方向へ末広がりの袋状を呈するので、後域４５における第１スペース３２の排泄物収容容積が大きく、パッド２０Ａの使用中に多量の排泄物が排泄されたとしても、排泄物の全てを後域４５の第１スペース３２に収容することができる。パッド２０Ａは、台紙３６の両側壁４４が後壁４５から前壁４３に向かって先細りに形成され、前壁４３の面積が後壁４５のそれよりも小さいので、パッド２０Ａを装着したときに台紙３６の前壁４３と両側壁４４とが着用者の股間部に納まり、開口周縁部３５が股間部において嵩張ることはない。
【００３７】
台紙３６の剛性値は、２〜４０ｍＮ・ｍの範囲にある。台紙３６の剛性値が２ｍＮ・ｍ未満では、パッド２０Ａの厚み方向へ圧がかかったときに、台紙３６が容易に潰れ、コア２３の上方へ凸となる開口周縁部３５の形態を維持することができない。台紙３６の剛性値が４０ｍＮ・ｍを超過すると、パッド２０Ａの装着中に着用者の肌に当接する開口周縁部３５が着用者に不快な刺激を与える。なお、台紙３６の剛性値は、テーバー法（ＪＩＳ Ｐ ８１２５）に準拠して測定した。その測定方法は、以下のとおりである。
（１）パッド２０Ａに使用した台紙３６と同一のそれを裁断し、縦寸法５０ｍｍ×横寸法２５ｍｍの測定用サンプルを作成した。剛性値の測定には、（株）安田精機製作所製のテーバースティフネステスターを使用し、サンプルの縦方向と横方向との剛性値を測定した。
（２）次に、測定の手順を説明する。(a)サンプルの厚み（Ａ）を測定する。(b)サンプルを試験機のチャック（下側）の中心に触れる程度に挟み込む。(c)支持ローラとサンプルとの左右隙間の合計を（Ａ）×０．８０（ｍｍ）に調節する。(d)補助おもり１／２を上にかぶせる。(e)サンプルを左右両方向に回転させ、１５度支持刻線と振り子の中心刻とが一致した点で停止し、試験機の目盛りを読み取る。目盛りの左側の数値を（Ｂ）とし、目盛りの右側の数値を（Ｃ）とする。
（３）サンプルの剛性値は、式：剛性値（Ｎ・ｃｍ）＝（（Ｂ）＋（Ｃ））／２×（補助おもり係数）／１０００×９．８０７で算出した。算出したサンプルの縦横方向の剛性値は、２〜４０ｍＮ・ｍであり、サンプルの剛性値を台紙３６の剛性値とした。
【００３８】
パッド２０Ａでは、スペーサ５１の横方向の伸長応力が０．０１〜１．５Ｎの範囲にある。スペーサ５１の伸長応力が０．０１Ｎ未満では、スペーサ５１の収縮力によって台紙３６の両側壁４４どうしをパッド２０Ａの横方向へ十分に引き寄せることができない。スペーサ５１の伸長応力が１．５Ｎを超過すると、スペーサ５１の収縮力によって横方向へ引き寄せられた台紙３６の両側壁４４どうしが互いに当接し、開口３１がその口を閉じてしまう場合がある。なお、スペーサ５１の伸長応力は、以下の方法で測定した。
（１）パッド２０Ａから取り外したスペーサ５１を裁断し、縦寸法１００ｍｍ×横寸法７０ｍｍの測定用サンプルを作成した。伸長応力の測定には、島津製作所社製の引張り試験機を使用した。
（２）次に、測定の手順を説明する。サンプルの横方向両端部を引張り試験機のチャックで挟み（チャックによるサンプルの挟み寸法：約１０ｍｍ、サンプルのチャック間寸法：約５０ｍｍ）、１００ｍｍ／ｍｉｎの速度でサンプルを横方向へ引っ張り、サンプルを３００％まで伸長させた後、伸長状態を解除する。再度、試験機を介して１００ｍｍ／ｍｉｎの速度でサンプルを横方向へ引っ張り、サンプルを２００％まで伸長させ、そのときの試験機にかかる力を測定した。ここで、サンプルを２００％まで伸長させるとは、たとえば、サンプルのチャック間寸法が５０ｍｍの場合、サンプルを５０ｍｍに２．０を乗じた値である約１００ｍｍまで伸ばすことである。サンプルの伸長応力は０．０１〜１．５Ｎであり、サンプルの伸長応力をスペーサ５１の伸長応力とした。
【００３９】
図８，９は、他の一例の前域の側から示す排泄物処理パッド２０Ｂの斜視図と、後域の側から示す図８のパッド２０Ｂの斜視図とであり、図１０は、パッド２０Ｂから台紙３６と連結シート７１とを分離した状態で示す分解斜視図である。図１１，１２は、図８の１１−１１線端面図と、図９の１２−１２線矢視断面図とである。図８，９では、横方向を矢印Ｌ、縦方向を矢印Ｍで示し、厚み方向を矢印Ｎで示す。このパッド２０Ｂが図１のそれと異なるのは、第１シート２１の外面に縦方向へ延びる連結シート７１が取り付けられ、パッド２０Ｂが連結シート７１を介して後記するパンツ８０の内側に取り付けられる点にある。なお、このパッド２０Ｂにおけるその他の構成は、図１のパッド２０Ｂのそれと同一であるから、図１と同一の符合を付してその他の構成の説明は省略する。
【００４０】
連結シート７１には、ウレタンフォームが使用されている。連結シート７１には、それを貫通する縦方向へ長い開口部７２が形成されている。開口部７２は、開口３１と同形同大であり、開口３１につながっている。連結シート７１は、開口部７２を囲繞して開口周縁部３５の外面に固着された固定内周縁部７３と、周縁部７３から縦方向前方へ延びる自由前部７４と、周縁部７３から縦方向後方へ延びる自由後部７５とを有する。自由前部７４は、パッド２０Ｂの前域４３から縦方向前方へ延出している。自由後部７５は、パッド２０Ｂの後域４５上に位置している。自由前部７４と自由後部７５とは、第１シート２１に固着されていない。自由前部７４の内面には、横方向へ離間して並ぶ円形のフック部材７６（止着手段）が固着されている。自由後部７５の内面には、横方向へ離間して並ぶ円形のフック部材７７（止着手段）が固着されている。なお、自由前後部７４，７５の内面とは、コア２３に対向する面をいう。自由後部７５には、連結シート７１の外周縁７８から固定内周縁部７３に向かって連結シート７１を切り欠いた凹欠部分７９が形成されている。凹欠部分７９は、縦中心線Ｍ１に沿って縦方向へ延びている。凹欠部分７９には、第２スペース３４が延びている。
【００４１】
図１３，１４は、パンツ８０の部分破断斜視図と、パッド２０Ｂを取り付けた状態で示すパンツ８０の部分破断斜視図とであり、図１５，１６は、図１４の１５−１５線矢視断面図と、図１５の拡大図とである。図１３，１４では、横方向を矢印Ｌで示し、縦方向を矢印Ｍで示す。なお、固定シート９２の外面とは、着用者に対向する面をいう。パンツ８０は、疎水性繊維不織布から作られている。パンツ８０は、互いに対向する前胴周り域８１および後胴周り域８３と、それら胴周り域８１，８３の間に位置する股下域８２とを有する。パンツ８０では、前後胴周り域８１，８３の側部８４が重なり合い、それら胴周り域８１，８３の側部８４が間欠的に並ぶ多数の熱融着部８５を介して固着されている。パンツ８０には、胴周り開口８６と一対の脚周り開口８７とが形成されている。
【００４２】
胴周り開口８６を囲繞するパンツ８０の胴周り周縁部８８には、環状に延びる複数条の胴周り用弾性部材８９が収縮可能に取り付けられている。脚周り開口８７を囲繞するパンツ８０の脚周り周縁部９０には、環状に延びる複数条の脚周り用弾性部材９１が収縮可能に取り付けられている。それら弾性部材８９，９１は、所定の倍率に伸長された状態で接着剤（図示せず）を介してパンツ８０に固着されている。パンツ８０の内側には、前後胴周り域８１，８３の間に位置して縦方向へ延びる帯状のパッド固定シート９２が取り付けられている。
【００４３】
固定シート９２には、弾性的な伸縮性を有する疎水性繊維不織布が使用されている。固定シート９２は、パンツ８０の前後胴周り域８１，８３から股下域８２に向かって下方へ弧を画いている。固定シート９２は、前後胴周り域８１，８３の胴周り周縁部８８に固着された固定両端部９３と、固定両端部９３の間に延びる自由中間部９４とを有する。自由中間部９４は、パンツ８０に固着されておらず、パンツ８０の股下域８２から上方に離間している。自由中間部９４の横方向中央には、その横方向両側をわずかに残して固定シート９２を裁断したスリット９５（挿入口）が形成されている。スリット９５は、パンツ８０の股下域８２の縦方向中央に形成されて横方向へ延びている。
【００４４】
パンツ８０にパッド２０Ｂを取り付ける手順は、以下のとおりである。パッド２０Ｂの前域２４と中間域２５とを固定シート９２の外面に配置し、パッド２０Ｂの後域２６をスリット９５からパンツ８０の後胴周り域８３の側に向かって挿入し、後域２６をパンツ８０と固定シート９２との間に介在させる。次に、フック部材７６，７７を介して連結シート７１の自由前後部７４，７５の内面を固定シート９２の外面に止着する。パッド２０Ｂの前域２４と中間域２５とは、固定シート９２に固定される。パッド２０Ｂの後域２６は、固定シート９２に固定されることなく、パンツ８０と固定シート９２との間に位置する。前域２４と中間域２５とはパンツ８０の股下域８２の略前半分に位置し、後域２６はパンツ８０の股下域８２の略後半分に位置する。パッド２０Ｂをパンツ８０に取り付けた後、パンツ８０を着用者に装着する。パンツ８０の装着中に排泄された排泄物は、開口３１を通過してパッド２０Ｂの第１スペース３２に収容されるとともに、コア２３に吸収、保持される。
【００４５】
パッド２０Ｂは、第１シート２１の横方向中央部３３が縦中心線Ｍ１に沿ってコア２３の上方へ凸となり、第１シート２１の横方向中央部３３とコア２３との間に第１スペース３２の上方に位置して縦方向へ延びる第２スペース３４が形成されているので、第１シート２１とコア２３とが当接して第１スペース３２が塞がったとしても、排泄物が第２スペース３４を通ってパッド２０Ｂの中間域２５から前後域２４，２６に移行し、排泄物をコア２３全域に効率よく吸収保持させることができる。パッド２０Ｂは、コア２３の上方へ凸となる開口周縁部３５が排泄物に対する障壁を形成するので、排泄物が開口周縁部３５を乗り越えることはなく、第１スペース３２に収容された排泄物が開口３１からパッド２０Ｂの外側へ漏れることはない。パッド２０Ｂは、台紙３６が第１および第２シート２１，２２よりも高い剛性を有するので、パッド２０Ｂの厚み方向へ圧がかかったとしても、台紙３６の剛性によって開口周縁部３５の立体的な形態が保持され、開口周縁部３５が容易に潰れることはなく、開口周縁部３５が排泄物に対する障壁としての機能を失うことはない。
【００４６】
パッド２０Ｂでは、第１および第３折曲線３９，４１の間に延びる前壁４３の両側部分４７が両側壁４４とともにパッド２０Ｂの厚み方向へかかる圧に対する支えとなり、第２および第４折曲線４０，４２の間に延びる後壁４５の両側部分４９が両側壁４４とともにパッド２０Ｂの厚み方向へかかる圧に対する支えとなるので、パッド２０Ｂの厚み方向にかかる圧に対する台紙３６の座屈強度が向上し、台紙３６が潰れ難く、開口周縁部３５の立体的な形態が台紙３６によって確実に維持される。また、スペーサ５１の収縮力によって台紙３６の両側壁４４どうしがパッド２０Ｂの横方向内方へ引き寄せられているので、台紙３６の立体的な形態がスペーサ５１によって確実に維持され、コア２３の上方へ凸となる開口周縁部３５の立体的な形態が台紙３６とスペーサ５１とによって確実に維持される。パッド２０Ｂは、その厚み方向へ大きな圧がかかり、開口周縁部３５が潰れて台紙３６が扁平になったとしても、圧が解除されるとスペーサ５１の収縮力によって台紙３６が直ちに立体的な形態に復元し、それによって開口周縁部３５がコア２３の上方へ凸となる立体的な形態に復元する。
【００４７】
パッド２０Ｂは、台紙３６の後壁４５の中央部４８と連結シート７１の自由後部７５とに凹欠部分５０，７９が形成され、第２スペース３４がそれら凹欠部分５０，７９に延びているので、凹欠部分５０，７９においてコア２３の上方へ凸となる第１シート２１の形態を維持することができ、後壁４５や自由後部７５が第２スペース３４を塞ぐことがなく、排泄物が第２スペース３４を通ってパッド２０Ｂの後域２６に確実に移行する。パッド２０Ｂは、後域２６がパッド２０Ｂの縦方向後方に向かって横方向へ末広がりの袋状を呈するので、後域２６における第１スペース３２の排泄物収容容積が大きく、パッド２０Ｂの使用中に多量の排泄物が排泄されたとしても、排泄物の全てを後域２６の第１スペース３２に収容することができる。パッド２０Ｂは、台紙３５の両側壁４４が後壁４５から前壁４３に向かって先細りに形成され、前壁４３の面積が後壁４５のそれよりも小さいので、パッド２０Ｂを装着したときに台紙３６の前壁４３と両側壁４４とが着用者の股間部に納まり、開口周縁部３５が股間部において嵩張ることはない。
【００４８】
パッド２０Ｂは、連結シート７１を介してそれをパンツ８０に取り付けたときに、前域２４と中間域２５とが固定シート９２の外面に位置してシート９２に固定されるので、パンツ８０の動きが直接パッド２０Ｂに伝わることはなく、パンツ８０が着用者の動作で動いたとしても、パッド２０Ｂがそれに追従して動くことはない。パンツ８０の装着中にそれが着用位置からずれ下がったとしても、それによってパッド２０Ｂがずれ下がることはなく、着用者の肌に対するパッド２０Ｂの当接状態を維持することができ、排泄物がパッド２０Ｂの外側へ排泄されてしまうことはない。パッド２０Ｂは、その後域２６がパンツ８０と固定シート９２との間に位置するので、パンツ８０の股下域８２に着用者の体圧がかかったとしても、パッド２０Ｂの後域２６が潰れ難く、後域２６の第１スペース３２に収容された排泄物が開口３１から漏れ出してしまうことがない。排泄物を収容したパッド２０Ｂは、それをパンツ８０から取り外して廃棄することができ、パッド２０Ｂのみを交換することができるので、パンツ８０を繰り返し使用することができる。
【００４９】
また、パンツ８０の装着時に胴周り周縁部８８が着用者の胴部によって広げられることにともなって、弾性的な伸縮性を有する固定シート９２が縦方向へ延ばされ、固定シート９２がその収縮力でパッド２０Ｂを着用者の肌に押し付けるので、着用者の肌に対するパッド２０Ｂの当接状態を確実に維持することができる。さらに、固定シート９２の自由中間部９４がパンツ８０の股下域８２から上方へ離間しているので、パンツ８０と固定シート９２との間に介在するパッド２０Ｂの後域２６がシート９２によって潰されることはなく、後域２６の第１スペース３２に収容された排泄物の開口３１からの漏れを確実に防ぐことができる。
【００５０】
パッド２０Ｂでは、台紙３６の剛性値が２〜４０ｍＮ・ｍの範囲にある。台紙３６の剛性値が２ｍＮ・ｍ未満では、パッド２０Ｂの厚み方向へ圧がかかったときに、台紙３６が容易に潰れ、コア２３の上方へ凸となる開口周縁部３５の形態を維持することができない。台紙３６の剛性値が４０ｍＮ・ｍを超過すると、パッド２０Ｂの装着中に着用者の肌に当接する開口周縁部３５が着用者に不快な刺激を与える。なお、台紙３６の剛性値は、テーバー法（ＪＩＳ Ｐ ８１２５）に準拠して測定した。その測定方法は、図１の台紙のそれと同一である。
【００５１】
パッド２０Ｂでは、スペーサ５１の横方向の伸長応力が０．０１〜１．５Ｎの範囲にある。スペーサ５１の伸長応力が０．０１Ｎ未満では、スペーサ５１の収縮力によって台紙３６の両側壁４４どうしをパッド２０Ｂの横方向へ十分に引き寄せることができない。スペーサ５１の伸長応力が１．５Ｎを超過すると、スペーサ５１の収縮力によってパッド２０Ｂの横方向へ引き寄せられた台紙３６の両側壁４４どうしが互いに当接し、開口３１がその口を閉じてしまう場合がある。なお、スペーサ５１の伸長応力の測定方法は、図１のスペーサ５１のそれと同一である。
【００５２】
第１および第２シート２１，２２には、図示の複合シートの他に、疎水性繊維不織布、通気不透液性プラスチックフィルム、２枚以上の疎水性繊維不織布をラミネートした複合不織布のいずれかを使用することもできる。第１および第２シー２１，２２トには、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。スペーサ５１には、伸縮性の繊維不織布を使用することもできる。連結シート７１には、ウレタンフォームの他に、セルローススポンジ、ナイロンスポンジ、スチレンフォーム、繊維不織布、プラスチックフィルムのいずれかを使用することもできる。固定シート９２には、非伸縮性の繊維不織布を使用することもできる。スペーサ５１や固定シート９２には、熱可塑性エラストマー樹脂繊維からなる親水性かつ伸縮性繊維不織布の少なくとも片面に、ポリプロピレン、ポリエチレン、ポリエステルのいずれかの熱可塑性合成樹脂を溶融、紡糸した捲縮繊維からなる親水性繊維不織布を重ね合わせた複合不織布を使用することもできる。
【００５３】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。伸縮性繊維不織布には、メルトブローンやスパンボンドの各製法により製造された不織布を使用することができる。伸縮性繊維不織布の構成繊維には、熱可塑性エラストマー樹脂を溶融、紡糸した伸縮性繊維を使用することができる。
【００５４】
台紙３６には、バージン紙または古紙を使用することができる。バージン紙や古紙に特に限定はなく、アート紙、色板紙、コート紙、クラフト紙、グラシン紙、ケント紙、建材原紙、コットンペーパー、上質紙、中質紙、白板紙、図画用紙、防湿紙、ボンド紙、マーブル紙、チップボール、化粧板原紙、再生紙等を使用することができる。
【００５５】
第１および第２シート２１，２２どうしの固着、第１シート２１に対する台紙３６の固着、第２シート２２に対するコア２３の接合、台紙３６に対するスペーサ５１の固着には、接着剤、または、ヒートシールやソニックシール等の熱による溶着手段を利用することができる。接着剤には、ホットメルト型接着剤やアクリル系接着剤、ゴム系接着剤を使用することができる。
【００５６】
パッド２０Ａ，２０Ｂは、開口３１が前域２４と中間域２５とに形成されているが、それら域２４，２５のうちの少なくとも中間域２５に形成されていればよい。パッド２０Ａ，２０Ｂでは、台紙３６にスペーサ５１が取り付けられていなくてもよい。また、台紙３６とスペーサ５１とを省くこともできる。パッド２０Ａ，２０Ｂは、台紙３６が第１および第２折曲線３９，４０のみで折曲され、台紙３６に第３および第４折曲線４１，４２が形成されていなくてもよい。パッド２０Ｂでは、連結シート７１の内面にフック部材７６，７７が取り付けられているが、フック部材７６，７７に代えて連結シート７１の内面に感圧型接着剤を塗布することもできる。感圧型接着剤を塗布する場合は、接着剤が剥離紙に被覆保護されている必要がある。パンツ８０では、固定シート９２にスリット９５が形成されているが、スリット９５に代えてシート９２に横方向へ長い楕円形の開口（挿入口）を形成することもできる。パンツ８０は、不織布ではなく、織物や編物から作られていてもよい。
【図面の簡単な説明】
【００５７】
【図１】前域の側から示す排泄物処理パッドの部分破断斜視図。
【図２】後域の側から示す図１のパッドの斜視図。
【図３】パッドから台紙を分離した状態で示す分解斜視図。
【図４】図１の４−４線端面図。
【図５】図１の５−５線端面図。
【図６】図２の６−６線矢視断面図。
【図７】装着状態で示す図１のパッドの斜視図。
【図８】他の一例の前域の側から示す排泄物処理パッドの斜視図。
【図９】後域の側から示す図８のパッドの斜視図。
【図１０】パッドから台紙と連結シートとを分離した状態で示す分解斜視図。
【図１１】図８の１１−１１線端面図。
【図１２】図９の１２−１２線矢視断面図。
【図１３】パンツの部分破断斜視図。
【図１４】パッドを取り付けた状態で示すパンツの部分破断斜視図。
【図１５】図１４の１５−１５線矢視断面図。
【図１６】図１５の拡大図。
【符号の説明】
【００５８】
２０Ａ  排泄物処理パッド
２０Ｂ  排泄物処理パッド
２１    不透液性第１シート（第１シート）
２２    不透液性第２シート（第２シート）
２３    吸液性コア
２４    前域
２５    中間域
２６    後域
３１    開口
３２    第１スペース
３３    横方向中央部
３４    第２スペース
３５    開口周縁部
３６    台紙
３７    内周縁
３８    外周縁
３９    第１折曲線
４０    第２折曲線
４１    第３折曲線
４２    第４折曲線
４３    前壁
４４    両側壁
４５    後壁
４６    中央部
４７    両側部
４８    中央部
４９    両側部
５０    凹欠部分
５１    スペーサ
７１    連結シート
７２    開口部
７３    固定内周縁部
７４    自由前部
７５    自由後部
７６    フック部材（止着手段）
７７    フック部材（止着手段）
７８    外周縁
７９    凹欠部分
８０    パンツ
８１    前胴周り域
８２    股下域
８３    後胴周り域
８６    胴周り開口
８７    脚周り開口
８８    胴周り周縁部
９２    パッド固定シート
９３    固定両端部
９４    自由中間部
９５    スリット（挿入部）
Ｍ１    縦中心線
【図１】
2006051211.tif 000003
【図２】
2006051211.tif 000004
【図３】
2006051211.tif 000005
【図４】
2006051211.tif 000006
【図５】
2006051211.tif 000007
【図６】
2006051211.tif 000008
【図７】
2006051211.tif 000009
【図８】
2006051211.tif 000010
【図９】
2006051211.tif 000011
【図１０】
2006051211.tif 000012
【図１１】
2006051211.tif 000013
【図１２】
2006051211.tif 000014
【図１３】
2006051211.tif 000015
【図１４】
2006051211.tif 000016
【図１５】
2006051211.tif 000017
【図１６】
2006051211.tif 000018